(57)【要約】【課題】  実銃の動作、および、カートリッジ形状の再現性を高く維持し、装填排莢動作に連動してＢＢ弾を銃身に装填することが可能であり、更に、排莢を伴わなくともＢＢ弾を連続で発射可能な改造困難で安全な遊戯銃を提供する。【解決手段】  ノズルと、銃身と、ＢＢ弾の弾倉部と、カートリッジ収納部と、ボルトと、レシーバと、ガス蓄圧室と、トリガと、からなるカートリッジ式玩具銃であって、前記ノズルは、銃身側と、カートリッジ側とからなり、中間に銃身とカートリッジを分断する遮断壁を挿嵌する凹部が設けられ、前記レシーバは、カートリッジ保持部と銃身を分断する凸状の遮断壁が設けられた構造からなる。また、ボルトのスライド操作によるカートリッジの前進によりＢＢ弾を装填し、トリガ操作により発射する構造からなる。【選択図】  図１
2013128491.tif 000002
【特許請求の範囲】
【請求項１】
銃本体に装備されたガス蓄圧室または圧縮空気室の圧縮ガスまたは圧縮空気をトリガー操作して銃身に導入し、弾倉から銃身に送り込まれたカートリッジに装填されていないＢＢ弾を発射する遊技銃において、
銃本体は、ＢＢ弾を発射する銃身と、弾丸を収納する弾倉部と、圧縮ガスまたは圧縮空気を備蓄するガス蓄圧室または圧縮空気室と、圧縮ガスまたは圧縮空気を銃身に導入噴射するガス蓄圧室（圧縮空気室）の先端のノズルと、弾丸が装填されていないカートリッジを装填する銃身と連結していないレシーバと、前後スライド操作によりカートリッジを挿脱するボルトとからなり、
前記ノズルは、銃身に通ずるガス噴射口とＢＢ弾路閉鎖板の設けられた銃身側と、カートリッジの弾頭形先頭を当接させる接地部と弾頭形先頭保持部とからなるカートリッジ側とからなり、銃身側とカートリッジ側との中間に銃身とカートリッジを分断する遮断壁を挿嵌する凹部が設けられた前後スライド可能な構造であって、
前記レシーバは、中央に設けられた筒状のカートリッジを嵌装するカートリッジ保持部とノズルの凹部に嵌合する銃身を分断する凸状の遮断壁が設けられた構造からなり、
ボルトの前進と後退のスライド操作により、レシーバから係合装填しているカートリッジを挿脱させるとともに、
ボルトの後退によりノズルバネの緊張が解かれてノズルが後退し、カートリッジの押圧から解放されたノズル先端のＢＢ弾路閉鎖板が後退してＢB弾路を解放し最上のＢＢ弾を弾倉最上部に押し上げ、
ボルトの前進によりノズルバネに抗してカートリッジの先端がノズルを押圧前進させ先端に設けられたＢＢ弾路閉鎖板がＢB弾路を閉鎖し銃身に通ずるガス噴射路の閉鎖を解除しつつ銃身のＢＢ弾装填位置にＢＢ弾を装填し、
トリガー操作により圧縮ガスまたは圧縮空気を導入することにより弾丸を発射する構造からなることを特徴とするカートリッジ式玩具銃。
【請求項２】
弾丸を発射する為の弾丸発射機構とダミーのカートリッジを装填排莢するカートリッジ装排出機構をカートリッジ遮断壁ａを介して別々に備えたことを特徴とする請求項１記載のカートリッジ式玩具銃。
【請求項３】
ボルトをレシーバから引抜くことによりボルトフェイスに保持されたカートリッジを排莢する構成からなり、カートリッジの引抜かれたノズルがボルトによる押圧から開放されることによりノズルバネで後方へ移動し、ボルトでレシーバに押入装填されるカートリッジにより銃身方向へ移動することを特徴とする請求項１記載のカートリッジ式玩具銃。
【請求項４】
カートリッジの装填排莢によるノズルの前後運動により銃身にＢＢ弾を装填することを特徴とする請求項１記載のカートリッジ式玩具銃。
【請求項５】
排莢口からカートリッジの排莢を伴わずにボルトフェイスに嵌合した残留カートリッジとボルトの僅かな前後運動によりノズル先端部が銃身にＢＢ弾を装填することを特徴とする請求項１記載のカートリッジ式玩具銃。
【発明の詳細な説明】
【技術分野】
【０００１】
本発明は、トリガ操作により圧縮ガスまたは圧縮空気による圧力をＢＢ弾に与えて発射する玩具銃に関し、特に、圧縮ガスまたは圧縮空気によって弾倉内の弾丸を発射した後、ボルトのスライド操作または遊底の開閉を行うことによりダミーのカートリッジを実銃のように排莢することの出来るカートリッジ式銃玩具に関する。
【背景技術】
【０００２】
従来、ライフル型の玩具ガス銃においては、カートリッジを用いることなくボルトの前後スライド操作により、銃身にプラスチック製弾丸（いわゆる「ＢＢ弾」）を装填してガス圧または空気圧によって発射する玩具銃が知られている。また、一方で安全性の面での批判を受けながらも、ＢＢ弾がセットされたカートリッジをボルトのスライド操作により弾倉から薬室に装填し、ガス圧などでＢＢ弾を発射する構造の、実銃に近似した銃取扱い感覚を再現した方式の玩具（遊戯）銃も実在していた。【０００３】
玩具（遊戯）銃は実銃に近似した外観及び基本動作の再現性を追求した玩具であり、実物を忠実に再現することが望まれている。しかしながら、カートリッジを用いない方式の構造ではボルト等の操作により弾倉から弾丸がそのまま連続して供給されるので、実銃の弾丸発射装填工程で行われるカートリッジの装填と排莢操作が存在しないため、実銃構造の再現性に劣るので実銃と同様の操作と工程を楽しみたいユーザーのニーズに答えられるものではなかった。【０００４】
上記のＢＢ弾がセットされたカートリッジを実銃と同様にボルトの前進スライド操作で薬室に装填しＢＢ弾を発射し、後に後退スライド操作で排莢する構造では、薬室と銃身が直結しており、実銃と同様の基本構造を持っているため、実銃動作の再現性は高まっているが、かえって実弾発射目的等の不法な改造を施すことが可能となり玩具（遊戯）銃として販売した場合、その後の改造および使用方法に危険を伴う結果、玩具（遊戯）銃としての安全性に欠けると判断される虞があった。また、カートリッジ自体にＢＢ弾をセットする構造では、カートリッジ先端の本来略円錐形状である弾頭部分にＢＢ弾挿入穴を必要とするため、カートリッジ形状の形成に制約が発生し、カートリッジ形状の再現性が低くなってしまうという問題もあった。更に、この構造ではＢＢ弾の装弾数はカートリッジの装填数に比例するため、比較的多数の弾丸を発射する玩具（遊戯）銃にあっては弾倉に保持可能な弾丸数が極端に少なくなってしまうという問題もあった。【０００５】
また、安全性の確保された、完全に弾丸供給発射動作とは隔離された視覚的効果だけを有するカートリッジを備えた構造の遊戯銃も開発されているが、カートリッジの動作とＢＢ弾の装填が連動していないため実銃に近い雰囲気を味わうことができず、再現性が低くなってしまうという難点があった。【０００６】
このような従来の構造では、実銃操作の再現性と遊戯器具に要請される安全性の面から、カートリッジの動作とＢＢ弾装填動作が連動した、擬似的な実銃の弾丸装填排莢動作が楽しめる趣味性（再現性）の高い玩具（遊戯）銃を提供することができなかったのが実情であった。【０００７】
そこで、実銃の弾丸装填と排莢工程の動作、および、カートリッジの形状の再現性を高く維持しながら、銃身と薬室が遮断された改造困難で安全な構造の玩具銃であって、かつ、カートリッジの装填排莢動作に連動してＢＢ弾が銃身に装填される構造であるとともに、カートリッジがボルトに保持された状態であれば、排莢を伴わなくとも弾倉から送弾されるＢＢ弾を何発でも連続で発射可能な状態に銃身に装填することが可能な絶対安全な構造の遊戯銃を開発する事が望まれていた。
【先行技術文献】
【特許文献】
【０００８】
【特許文献１】特開２０１１−９９５８０号公報
【発明の開示】
【発明が解決しようとする課題】
【０００９】
本発明の目的は、上記課題を解決するため、レシーバにノズル凹部に嵌合するカートリッジ遮断壁ａを設けて安全性を高め、ノズルとボルトの前後スライド操作によるカートリッジの動作をＢＢ弾の装填動作と連動させることにより、カートリッジの操作と連動して弾倉からＢＢ弾が銃身へ装填されるため、ボルトの前進とロック作業により弾丸を発射準備状態にすることが可能なカートリッジ式玩具銃を提供することを目的とする。
【課題を解決するための手段】
【００１０】
上記目的を達成するため本発明に係るカートリッジ式玩具銃は、銃本体に装備されたガス蓄圧室または圧縮空気室の圧縮ガスまたは圧縮空気をトリガ操作して銃身に導入し、弾倉から銃身に送り込まれたカートリッジに装填されていないＢＢ弾を発射する遊技銃であって、銃本体は、ＢＢ弾を発射する銃身と、弾丸を収納する弾倉部と、圧縮ガスまたは圧縮空気を備蓄するガス蓄圧室または圧縮空気室と、圧縮ガスまたは圧縮空気を銃身に導入噴射するガス蓄圧室（圧縮空気室）の先端のノズルと、弾丸が装填されていないカートリッジを装填する銃身と連結していないレシーバと、前後スライド操作によりカートリッジを挿脱するボルトとからなり、前記ノズルは、銃身に通ずるガス噴射口とＢＢ弾路閉鎖板の設けられた銃身側と、カートリッジの弾頭形先頭を当接させる接地部と弾頭形先頭保持部とからなるカートリッジ側とからなり、銃身側とカートリッジ側との中間に銃身とカートリッジを分断する遮断壁を挿嵌する凹部が設けられた前後スライド可能な構造であり、前記レシーバは、中央に設けられた筒状のカートリッジを嵌装するカートリッジ保持部とノズルの凹部に嵌合する銃身を分断する凸状の遮断壁が設けられた構造からなり、ボルトの前進と後退のスライド操作により、レシーバから係合装填しているカートリッジを挿脱させるとともに、ボルトの後退によりノズルバネの緊張が解かれてノズルが後退し、カートリッジの押圧から解放されたノズル先端のＢＢ弾路閉鎖板が後退してＢB弾路を解放し最上のＢＢ弾を弾倉最上部に押し上げ、ボルトの前進によりノズルバネに抗してカートリッジの先端がノズルを押圧前進させ先端に設けられたＢＢ弾路閉鎖板がＢB弾路を閉鎖し銃身に通ずるガス噴射路の閉鎖を解除しつつ銃身のＢＢ弾装填位置にＢＢ弾を装填し、トリガ操作により圧縮ガスまたは圧縮空気を導入することにより弾丸を発射することを可能とした構成である。【００１１】
また、弾丸を発射する為の弾丸発射機構とダミーのカートリッジを装填排莢するカートリッジ装排出機構とを遮断壁を境に銃身側とカートリッジ側に別々に設けた構造である。【００１２】
また、ボルトをレシーバから引抜くことによりボルトフェイスに係合されていたカートリッジを排莢する構成からなり、カートリッジの引抜かれたノズルがボルトによる押圧から開放されることによりノズルバネで後方へ移動し、ボルトでレシーバに押入装填されるカートリッジにより銃身方向へ移動する構成である。【００１３】
また、カートリッジの装填排莢によるノズルの前後運動により銃身にＢＢ弾を装填する構成である。【００１４】
さらに、排莢口からカートリッジの排莢を伴わずにボルトフェイスに係合された残留カートリッジとボルトの僅かな前後運動によりノズル先端部が銃身にＢＢ弾を装填する構成である。
【発明の効果】
【００１５】
本発明に係るカートリッジ式玩具銃は、上記詳述した通りの構成であるので、以下のような効果がある。
１．ボルトのスライドでカートリッジを挿入する操作により弾丸（ＢＢ弾）が装填されるという実銃の弾丸装填と排莢の操作と同様の操作感覚を再現することが可能であるが、銃身はカートリッジと遮断されているために安全であるとともに、容易には改造できない構成となっている。
２．銃身と薬室が遮断されているため、遊戯銃に求められる安全性を確保することが可能である。
３．ボルトを後退させて排莢する際に次弾となるカートリッジの挿入によりＢＢ弾を装填するノズルが連動して動作するので、実銃と同様の操作感覚を得る事が可能である。
４．ボルトの前後運動によりノズルが前後運動してＢＢ弾を装填するため、弾丸の実装感覚が生まれる。
５．カートリッジの排莢を伴わずに独立してＢＢ弾を装填することが出来るため、弾倉に装填された多数の弾丸をカートリッジの装脱とは無関係に一度装填されれば連続で発射することが出来るという遊戯銃ならではの遊戯性を高めることが可能である。
【図面の簡単な説明】
【００１６】
【図１】本発明に係るカートリッジ式玩具銃の断面図
【図２】本発明に係るカートリッジ式玩具銃のノズル前進時の部分拡大図
【図３】本発明に係るカートリッジ式玩具銃のノズル後退時の部分拡大図
【図４】本発明に係るカートリッジ式玩具銃のノズル断面図
【発明を実施するための最良の形態】
【００１７】
以下、本発明に係るカートリッジ式玩具銃を図面に示す実施例に基づいて詳細に説明する。
本発明にかかるカートリッジ式玩具銃１０は、ノズル２０と、銃身３０と、ＢＢ弾の弾倉部４０と、カートリッジ収納部５０と、ボルト６０と、レシーバ７０と、ガス蓄圧室８０と、トリガ９０と、とからなる構成である。【００１８】
ボルトの操作でボルトフェイスに係合されたカートリッジを装脱し、カートリッジがノズルの弾頭当接部を押圧前進させることで、連動するノズルの先端のＢＢ弾押出部が銃身にＢＢ弾を装填し、トリガ操作によりガス圧（空気圧）を導入して、ＢＢ弾を発射する構成である。【００１９】
図１は、カートリッジ式玩具銃の断面図であり、銃身先端部、および銃床基部はこの図では省略されている。図は、ＢＢ弾４１の装填済状態を示すものであり、ライフル型遊戯銃のトリガ９０は連結アーム９２を介してガス蓄圧室８０内のバルブ（弁）８６と連結している。【００２０】
図２は、本発明に係るカートリッジ式玩具銃のノズル前進時の部分拡大図である。カートリッジをボルトフェイス６２に係合したボルト６０の前進スライド操作により、弾頭形先頭部５２の先端部はノズルの弾頭当接部２２を押圧し、ノズルが前進してノズル先端のＢＢ弾押出部２６が銃身基部ＢＢ弾装填位置３２にＢＢ弾を押し出して装填状態となる。【００２１】
図３は、本発明に係るカートリッジ式玩具銃のノズル後退時の部分拡大図である。カートリッジをボルトフェイス６２に係合したボルト６０の後退スライド操作によりノズルの弾頭当接部が押圧から開放される。これにより、ノズルバネは退縮しノズルは後退して、ガス流入口２８とガス流路８４が分断され、ＢＢ弾路閉鎖板２４が弾倉の弾路を開放して次のＢＢ弾がＢＢ弾の弾倉の最上部４２に押し上げられる。【００２２】
図４は、ノズル２０の断面図である。ノズルのカートリッジ側には、薬莢保持部２１と、弾頭当接部２２とが設けられており、銃身側には、ＢＢ弾路閉鎖板２４と、ノズルバネ２５（図１参照）と、ＢＢ弾押出部２６と、ガス流入口２８が設けられている。ノズルの銃身側とカートリッジ側の間にはノズル凹部２３が設けられている。【００２３】
ノズル２０は、レシーバ先端の遮断壁７２にノズル凹部２３が嵌合し、カートリッジによる押圧、または、押圧の開放とバネの縮退により前後に摺動する構造である。ノズル凹部２３は遮断壁７２の厚みよりも幅が広い構成となっていて、横幅の空間を前後に移動する。遮断壁７２とノズル凹部の幅の差は、ＢＢ弾路閉鎖板２４が弾倉部４０の弾路を開放する必要があるため、ＢＢ弾の直径より長い距離が必要となるが、実施例で示す形状および長さに限定されるものではない。【００２４】
カートリッジ５１を押圧するとノズル２０が前進摺動し、弾丸発射に必要となる圧縮ガス（圧縮空気）を供給する。ガス流入口２８とガス流路８４からなるガス通路が開通すると同時に、ＢＢ弾を装填位置へ移動させる。ノズル２０はＢＢ弾を装填するために摺動する。本実施例では、ガス流入口２８とガス流路８４からなるガス通路がノズル２０の摺動と連動して分断される構成となっている。【００２５】
銃身３０は、基部に銃身基部ＢＢ弾装填位置３２があり、銃身の基部をカートリッジの押圧によって、ノズル先端のＢＢ弾押出部２６を閉鎖し、同時にガス噴射口も閉鎖することにより、圧縮ガス、または、圧縮空気の流出を防ぐ構成である。【００２６】
弾倉部４０は、ノズル２０のＢＢ弾路閉鎖板２４が弾路を開放した際にバネの押上力により弾丸を銃身（装填位置）に供給する弾の収容部であり、本実施例では銃身の底部に設けられているが、実銃に似せるために外観を損なわない箇所に装備できればよく、本実施例の位置に限定されるものではない。【００２７】
カートリッジ５１は、ダミーの弾頭形先頭部５２を備えた装填用の弾丸からなる。単発式の場合は弾丸装填は一発ずつ手動で装填することとなる。なお、図面に示す実施例では、カートリッジ収納部５０が設けられており、複数のカートリッジ５１が収納されている。本実施例ではカートリッジ収納部５０を設けたボルトアクション式となっているが、本実施例に示す銃構造に限定されるものではなく、カートリッジ収納部５０のない構成も考えられる。【００２８】
カートリッジ収納部５０に収納されているカートリッジ５１が、ボルトの押圧により前進すると、ノズル２０の弾頭当接部２２に弾頭の先端が達し、同時に薬莢が薬莢（カートリッジ）保持部２１に保持される。ボルトがレシーバにロックされるまでの押圧により、縮退しているノズルバネ２５を伸張させ、ノズル２０をＢＢ弾発射可能位置まで前進させる。
一方、弾丸発射後は、ボルト６０をスライド後退させて、カートリッジを排莢し、再度ボルト６０を前進させる。これより、ボルトフェイスがカートリッジ収納部５０から次弾（カートリッジ）をスライドさせて押し出すように薬室へと押圧挿入する。また、ノズルの前進摺動は同時に銃身側において次弾（ＢＢ弾）の発射準備を可能とする。【００２９】
図面に示す本実施例では、ＢＢ弾を収納供給するＢＢ弾の弾倉部４０が遮断壁より銃身側に設けられ、カートリッジを収納供給するカートリッジ収納部５０が遮断壁よりカートリッジ側に配置されている。しかしながら、弾倉部４０とカートリッジ収納部５０は、実銃形状に近付けるために概観を考慮して、外見に影響のない部分に装備することもでき、本実施例に示す銃機構に限定されるものではない。【００３０】
カートリッジ５１にＢＢ弾をセットする構造ではなく、カートリッジとは別に用意されたＢＢ弾を銃身に装填する構造である。ノズル２０を押圧することによりＢＢ弾を装填する。カートリッジは、弾丸発射機構に直結していないので、弾頭に穴を開ける必要が無いため、弾頭が薬莢に嵌装されている実銃のカートリッジの外装を、忠実に再現することになり、遊戯銃に求められる趣味性を高めることが出来る。また、カートリッジはＢＢ弾を装填する操作を担っており、ＢＢ弾が装填された発射準備状態からトリガ操作により圧縮ガスまたは圧縮空気を噴射する一連の発射工程とは連動していないため、カートリッジ本体にＢＢ弾をセットする構成を採用した際に発生する命中率の低下を防止することが出来る。【００３１】
ボルト６０は、撃鉄６４と、撃鉄バネ６６を備えた構成である。ボルト６０を後退スライドさせることにより撃鉄バネ６６を縮退させた状態で、撃鉄基部の突起とトリガ基部の突起が係合する構成となっており、トリガ操作により、当該係合を解除し撃鉄バネの伸張力で圧縮ガスまたは圧縮空気を噴射する。【００３２】
レシーバ７０は、カートリッジ５１を収容する薬室とノズル２０を嵌合する孔と遮断壁７２とからなる。銃身と薬室を分断する遮断壁７２がノズル凹部に嵌装された状態で設けられている。遮断壁７２が銃身と薬室を分断することにより実銃の構造を模してはいても簡単には改造が出来ない構造を採用している。外形は忠実に再現されているので趣味性を高めることが出来るとともに容易には不法な改造が出来ないので、使用等の弊害の発生を格段に減少させることができる構造である。更に、遮断壁に超硬材を用いることにより、一段と改造の困難な安全性の確保されている遊戯銃を提供することも可能となる。【００３３】
ガス蓄圧室８０は、ガス噴出口８２と、ガス流路８４と、バルブ８６（弁）、とからなり、図に示す実施例ではトリガ９０の操作に連動してガス噴射口８２から圧縮ガスが噴射され、ガス流路８４からガス流入口２８を経由して銃身基部に装填されたＢＢ弾に発射のための圧力を提供する構成となっている。トリガ操作から発射のための圧力がＢＢ弾に達する構造は図に示す実施例に限定されるものではなく、従来の様々な態様を採用することが可能であり、また、ガス蓄圧室（空気圧）の位置および形状も本実施例に限定されるものではない。【００３４】
トリガ９０は、撃鉄バネが縮退した位置で撃鉄基部の突起とトリガ基部の突起が係合しており、トリガ操作で縮退した撃鉄バネ６６の圧力を開放することにより、連動するガス噴出口から圧縮ガスを噴射する構成となっている。この構造は、遊戯銃の構造としては撃鉄の動作と連動している必要は無く、他の従来の技術を採用することも可能である。
【符号の説明】
【００３５】
１０    カートリッジ式玩具銃
２０    ノズル
２１    薬莢（カートリッジ）保持部
２２    弾頭当接部
２３    ノズル凹部
２４    ＢＢ弾路閉鎖板
２５    ノズルバネ
２６    ＢＢ弾押出部
２８    ガス流入口
３０    銃身
３２    銃身基部ＢＢ弾装填位置
４０    弾倉部
４１    ＢＢ弾
４２    ＢＢ弾の弾倉最上部
５０    カートリッジ収納部
５１    カートリッジ
５２    弾頭形先頭部
６０    ボルト
６２    ボルトフェイス
６４    撃鉄
６６    撃鉄バネ
７０    レシーバ
７２    遮断壁
８０    ガス蓄圧室
８２    ガス噴出口
８４    ガス流路
８６    バルブ（弁）
９０    トリガ
９２    連結アーム
【図１】
2013128491.tif 000003
【図２】
2013128491.tif 000004
【図３】
2013128491.tif 000005
【図４】
2013128491.tif 000006
【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
銃本体に装備されたガス蓄圧室または圧縮空気室の圧縮ガスまたは圧縮空気をトリガー操作して銃身に導入し、弾倉から銃身に送り込まれたカートリッジに装填されていないＢＢ弾を発射する遊技銃において、
銃本体は、ＢＢ弾を発射する銃身と、弾丸を収納する弾倉部と、圧縮ガスまたは圧縮空気を備蓄するガス蓄圧室または圧縮空気室と、圧縮ガスまたは圧縮空気を銃身に導入噴射するガス蓄圧室または圧縮空気室の先端のノズルと、弾丸が装填されていないカートリッジを装填する銃身と連結していないレシーバと、前後スライド操作によりカートリッジを挿脱するボルトとからなり、
前記ノズルは、銃身に通ずるガス噴射口とＢＢ弾路閉鎖板の設けられた銃身側と、カートリッジの弾頭形先頭を当接させる接地部と弾頭形先頭保持部とからなるカートリッジ側とからなり、銃身側とカートリッジ側との中間に銃身とカートリッジを分断する遮断壁を挿嵌する凹部が設けられた前後スライド可能な構造であって、
前記レシーバは、中央に設けられた筒状のカートリッジを嵌装するカートリッジ保持部とノズルの凹部に嵌合する銃身を分断する凸状の遮断壁が設けられた構造からなり、
ボルトの前進と後退のスライド操作により、レシーバから係合装填しているカートリッジを挿脱させるとともに、
ボルトの後退によりノズルバネの緊張が解かれてノズルが後退し、カートリッジの押圧から解放されたノズル先端のＢＢ弾路閉鎖板が後退してＢB弾路を解放し最上のＢＢ弾を弾倉最上部に押し上げ、
ボルトの前進によりノズルバネに抗してカートリッジの先端がノズルを押圧前進させ先端に設けられたＢＢ弾路閉鎖板がＢB弾路を閉鎖し銃身に通ずるガス噴射路の閉鎖を解除しつつ銃身のＢＢ弾装填位置にＢＢ弾を装填し、
トリガー操作により圧縮ガスまたは圧縮空気を導入することにより弾丸を発射する構造からなることを特徴とするカートリッジ式玩具銃。
【請求項２】
弾丸を発射する為の弾丸発射機構とダミーのカートリッジを装填排莢するカートリッジ装排出機構をカートリッジ遮断壁ａを介して別々に備えたことを特徴とする請求項１記載のカートリッジ式玩具銃。
【請求項３】
ボルトをレシーバから引抜くことによりボルトフェイスに保持されたカートリッジを排莢する構成からなり、カートリッジの引抜かれたノズルがボルトによる押圧から開放されることによりノズルバネで後方へ移動し、ボルトでレシーバに押入装填されるカートリッジにより銃身方向へ移動することを特徴とする請求項１記載のカートリッジ式玩具銃。
【請求項４】
カートリッジの装填排莢によるノズルの前後運動により銃身にＢＢ弾を装填することを特徴とする請求項１記載のカートリッジ式玩具銃。
【請求項５】
排莢口からカートリッジの排莢を伴わずにボルトフェイスに嵌合した残留カートリッジとボルトの僅かな前後運動によりノズル先端部が銃身にＢＢ弾を装填することを特徴とする請求項１記載のカートリッジ式玩具銃。
【手続補正２】
【補正対象書類名】明細書
【補正対象項目名】００１０
【補正方法】変更
【補正の内容】
【００１０】
上記目的を達成するため本発明に係るカートリッジ式玩具銃は、銃本体に装備されたガス蓄圧室または圧縮空気室の圧縮ガスまたは圧縮空気をトリガ操作して銃身に導入し、弾倉から銃身に送り込まれたカートリッジに装填されていないＢＢ弾を発射する遊技銃であって、銃本体は、ＢＢ弾を発射する銃身と、弾丸を収納する弾倉部と、圧縮ガスまたは圧縮空気を備蓄するガス蓄圧室または圧縮空気室と、圧縮ガスまたは圧縮空気を銃身に導入噴射するガス蓄圧室または圧縮空気室の先端のノズルと、弾丸が装填されていないカートリッジを装填する銃身と連結していないレシーバと、前後スライド操作によりカートリッジを挿脱するボルトとからなり、前記ノズルは、銃身に通ずるガス噴射口とＢＢ弾路閉鎖板の設けられた銃身側と、カートリッジの弾頭形先頭を当接させる接地部と弾頭形先頭保持部とからなるカートリッジ側とからなり、銃身側とカートリッジ側との中間に銃身とカートリッジを分断する遮断壁を挿嵌する凹部が設けられた前後スライド可能な構造であり、前記レシーバは、中央に設けられた筒状のカートリッジを嵌装するカートリッジ保持部とノズルの凹部に嵌合する銃身を分断する凸状の遮断壁が設けられた構造からなり、ボルトの前進と後退のスライド操作により、レシーバから係合装填しているカートリッジを挿脱させるとともに、ボルトの後退によりノズルバネの緊張が解かれてノズルが後退し、カートリッジの押圧から解放されたノズル先端のＢＢ弾路閉鎖板が後退してＢB弾路を解放し最上のＢＢ弾を弾倉最上部に押し上げ、ボルトの前進によりノズルバネに抗してカートリッジの先端がノズルを押圧前進させ先端に設けられたＢＢ弾路閉鎖板がＢB弾路を閉鎖し銃身に通ずるガス噴射路の閉鎖を解除しつつ銃身のＢＢ弾装填位置にＢＢ弾を装填し、トリガ操作により圧縮ガスまたは圧縮空気を導入することにより弾丸を発射することを可能とした構成である。
【手続補正３】
【補正対象書類名】明細書
【補正対象項目名】００２４
【補正方法】変更
【補正の内容】
【００２４】
カートリッジ５１を押圧するとノズル２０が前進摺動し、弾丸発射に必要となる圧縮ガスまたは圧縮空気を供給する。ガス流入口２８とガス流路８４からなるガス通路が開通すると同時に、ＢＢ弾を装填位置へ移動させる。ノズル２０はＢＢ弾を装填するために摺動する。本実施例では、ガス流入口２８とガス流路８４からなるガス通路がノズル２０の摺動と連動して分断される構成となっている。
【手続補正４】
【補正対象書類名】明細書
【補正対象項目名】００３３
【補正方法】変更
【補正の内容】
【００３３】
ガス蓄圧室８０は、ガス噴出口８２と、ガス流路８４と、バルブ８６（弁）、とからなり、図に示す実施例ではトリガ９０の操作に連動してガス噴射口８２から圧縮ガスが噴射され、ガス流路８４からガス流入口２８を経由して銃身基部に装填されたＢＢ弾に発射のための圧力を提供する構成となっている。トリガ操作から発射のための圧力がＢＢ弾に達する構造は図に示す実施例に限定されるものではなく、従来の様々な態様を採用することが可能であり、また、ガス蓄圧室または圧縮空気室の位置および形状も本実施例に限定されるものではない。
【国際調査報告】
2013128491.tif 000007
2013128491.tif 000008
2013128491.tif 000009
2013128491.tif 000010